(57)【要約】      （修正有）【課題】ハンドルに対して可動である除毛ヘッドを備える除毛デバイスにおいて、ヘッドの移動時の騒音を抑制、回避又は低減する。【解決手段】本発明は、駆動部及びエネルギー源を収容するハンドルと、ハンドルに枢動可能に支持され、駆動部の動きを少なくとも１つの除毛部の被駆動部の動きに変換するトランスミッションによって、駆動部に連結された少なくとも１つの除毛部４を含む、ヘッドと、を備える、除毛デバイスに関する。ハンドルに対するヘッドの枢動は、停止要素の停止面１４の、相手側停止要素との当接によって制限される。停止要素は、第１のプラスチック材料及び第１のプラスチック材料より軟質である第２のプラスチック材料による多成分射出成形により製造され、停止面は、第２のプラスチック材料から製造されている。【選択図】図３
2019171050.tif 000002
【特許請求の範囲】
【請求項１】
駆動部及びエネルギー源を収容するハンドル（２）と、前記ハンドル（２）に枢動可能に支持され、前記駆動部の動きを少なくとも１つの除毛部（４、５）の被駆動部の動きに変換するトランスミッションによって、前記駆動部に連結された前記少なくとも１つの除毛部（４、５）を含む、ヘッド（３）と、を備える、除毛デバイスであって、前記ハンドル（２）に対する前記ヘッド（３）の枢動は、少なくとも１つの停止要素（７、１５）の少なくとも１つの停止面（１４、１６）の、少なくとも１つの相手側停止要素（８ａ、８ｂ、１２）との当接によって制限され、前記少なくとも１つの停止要素（７、１５）は、第１のプラスチック材料と、前記第１のプラスチック材料より軟質である第２のプラスチック材料による多成分射出成形によって製造され、前記少なくとも１つの停止面（１４、１６）は、前記第２のプラスチック材料から製造されている、除毛デバイス。
【請求項２】
前記少なくとも１つの停止要素（７、１５）は、二成分射出成形によって製造されている、請求項１に記載の除毛デバイス。
【請求項３】
前記第１のプラスチック材料は、ポリプロピレン若しくはポリブチレンテレフタレートであり、かつ／又は前記第２のプラスチック材料は、熱可塑性エラストマー又は液状シリコーンゴムである、請求項１又は２に記載の除毛デバイス。
【請求項４】
前記少なくとも１つの停止要素（７、１５）は、環境に対して、前記除毛デバイス（１）の少なくとも一部を封止するシェル又はシェルアセンブリの一部であり、前記少なくとも１つの停止要素（７、１５）は、前記第２のプラスチック材料から製造された少なくとも１つの封止部分（１８）を含む、請求項１〜３のいずれか一項に記載の除毛デバイス。
【請求項５】
前記少なくとも１つの停止要素（７、１５）は、前記第２のプラスチック材料から製造された少なくとも１つの軟質リブ（１９）を含み、前記軟質リブ（１９）は、前記軟質リブ（１９）に当接する構成部品（２０）に付勢力を及ぼす、請求項１〜４のいずれか一項に記載の除毛デバイス。
【請求項６】
前記少なくとも１つの停止面（１４、１６）と、前記少なくとも１つの封止部分（１８）及び／又は前記軟質リブ（１９）とは、前記第２のプラスチック材料から製造されたウェブ（１７）によって互いに接続されている、請求項４又は５に記載の除毛デバイス。
【請求項７】
前記ヘッド（３）は、前記ハンドル（２）の支持体（７、１２）及び前記ヘッド（３）にそれぞれ枢動可能にヒンジ結合されている少なくとも２つのレバー（８ａ、８ｂ）によって、前記ハンドル（２）に枢動可能に支持されている、請求項１〜６のいずれか一項に記載の除毛デバイス。
【請求項８】
前記ハンドル（２）の前記支持体（７）の少なくとも一部は、レバー（８ａ、８ｂ）毎の、前記第２のプラスチック材料から製造された少なくとも１つの停止面（１４）を有する前記停止要素（７）であり、それぞれのレバー（８ａ、８ｂ）は、前記少なくとも１つの相手側停止要素を形成する部分を含む、請求項７に記載の除毛デバイス。
【請求項９】
前記ハンドル（２）の前記支持体（７）は、前記ハンドル（２）の内側ハウジングを密閉して封止する蓋であり、前記内側ハウジングは、前記駆動部（６）及び前記エネルギー源を収容する、請求項７又は８に記載の除毛デバイス。
【請求項１０】
前記レバー（８ａ、８ｂ）のうちの少なくとも１つは、金属部品である、かつ／又は実質的にＵ字形状の断面を有する、請求項７〜９のいずれか一項に記載の除毛デバイス。
【請求項１１】
前記ヘッド（３）は、旋回軸線（Ｉ）を中心に枢動可能に前記ハンドル（２）に支持され、前記ヘッド（３）は、前記旋回軸線（Ｉ）上において枢動可能に支持されたフレーム（１２）を含み、前記フレーム（１２）の、前記旋回軸線（Ｉ）を中心とする回転に関して前記ハンドル（２）に拘束されている構成部品（９，１５）との当接により、前記旋回軸線（Ｉ）を中心とする前記ハンドル（２）に対する前記ヘッド（３）の枢動が制限されている、請求項１〜１０のいずれか一項に記載の除毛デバイス。
【請求項１２】
前記旋回軸線（Ｉ）を中心とする回転に関して前記ハンドル（２）に拘束されている前記構成部品（９，１５）は、前記トランスミッションの駆動シャフトを受容する開口を有するヘッド部であり、前記第２のプラスチック材料から製造された少なくとも１つの停止面（１６）が、前記ヘッド部（９、１５）に設けられている、請求項１１に記載の除毛デバイス。
【請求項１３】
前記少なくとも２つのレバー（８ａ、８ｂ）は、前記ヘッド部（１５）又は前記ヘッド部（１５）に拘束されている更なるベースプレート（９）に枢動可能にヒンジ結合されている、請求項７又は１２に記載の除毛デバイス。
【請求項１４】
前記更なるベースプレート（９）は、２本のアーム（１０）を含み、それぞれのアーム（１０）は、旋回軸受（１１）の１つを有する、請求項１３に記載の除毛デバイス。
【請求項１５】
前記ヘッド（３）の前記少なくとも１つの除毛部（４、５）は、複数のブレードを有する下部カッタ及びフォイル式上部カッタを含み、前記トランスミッションは、前記上部カッタに対する並進運動において前記下部カッタを駆動するように前記下部カッタに連結されている、請求項１〜１４のいずれか一項に記載の除毛デバイス。
【発明の詳細な説明】
【技術分野】
【０００１】
本発明は、例えば、駆動部及びエネルギー源を収容するハンドルと、ハンドルに枢動可能に支持され、駆動部の回転運動を少なくとも１つの除毛部の被駆動部の動きに変換するトランスミッションにより駆動部に連結された少なくとも１つの除毛部を含む、ヘッドと、を備える、例えば、乾式シェーバ、湿式シェーバ、又は脱毛器などの除毛デバイスに関する。
【背景技術】
【０００２】
欧州特許第２４０４７１６（Ｂ１）号は、ハンドルと、枢動軸線に平行に延在し、枢動軸線を中心に旋回することができ、これにより、カッタは、使用者の皮膚の輪郭に追従することができる、カッタ要素を有するヘッドと、を有する、電動式シェーバを開示している。
【０００３】
ハンドルに対するヘッドの枢動は、典型的には、停止要素の停止面の、相手側停止（counter-stop）要素との当接により制限される。この制限は、使用中、又は、例えば、デバイスが落下する際など、デバイスが外部衝撃力を受ける場合、デバイスの他の構成部品を保護するために要求される場合がある。しかしながら、停止面の、相手側停止要素との当接により、ユーザに、カタという雑音及び硬い端止めの印象の形態で、不要な触覚及び／又は可聴フィードバックが発生する場合がある。
【先行技術文献】
【特許文献】
【０００４】
【特許文献１】欧州特許第２４０４７１６（Ｂ１）号
【発明の概要】
【発明が解決しようとする課題】
【０００５】
本発明の目的は、デバイスの使用中の感覚を向上させる改良された除毛デバイスを提供することである。より具体的には、本発明の更なる目的は、ハンドルに対して可動である除毛ヘッドを備える上述の除毛デバイスを改良することであり、ヘッドの移動時の騒音が、抑制、回避又は低減される。
【課題を解決するための手段】
【０００６】
本開示の一態様に従って、除毛デバイスは、少なくとも駆動部及びエネルギー源を収容するハンドルと、ハンドルに枢動可能に支持され、駆動部の、例えば、回転運動又は直線運動を少なくとも１つの除毛部の被駆動部の動きに変換するトランスミッションによって駆動部に連結された少なくとも１つの除毛部を含む、ヘッドと、を備える。ハンドルに対するヘッドの枢動は、少なくとも１つの停止要素の少なくとも１つの停止面の、少なくとも１つの相手側停止要素との当接によって制限される。少なくとも１つの停止要素は、第１のプラスチック材料と、第１のプラスチック材料より軟質である少なくとも１種の第２のプラスチック材料による多成分射出成形によって製造され、少なくとも１つの停止面は、第２のプラスチック材料から製造されている。
【０００７】
多成分射出成形は、それぞれの要件に合うように調整された材料特性を有する様々な材料の構成部品を生産する非常に効率的な方法である。例えば、機械的負荷に耐えるより硬質な又はより剛性のプラスチック材料とより軟質のプラスチック材料との組み合わせにより、ハンドルに対するヘッドの枢動を制限する当接の制動（damping）が可能になる。これにより、ユーザの快適性を高め、デバイスの使用中の感覚を改善することができる。更に、より軟質なプラスチック材料は、例えば、デバイスが落下する際など、デバイスが外部衝撃力を受ける場合、例えば、機械的負荷を和らげることができる。このような多目的構成部品を提供することにより、それぞれがただ１つの機能を果たしている別個の構成部品と比較して、構成部品の数を減らすことにより、デバイスの生産及び組み付けのためのコスト及び労力を低減することに寄与する。
【図面の簡単な説明】
【０００８】
【図１】本発明の実施形態によるデバイスの概略的斜視図である。
【図２】図１のデバイスの構成要素の概略的側面図である。
【図３】図１のデバイスの概略的側面詳細図である。
【図４】図１のデバイスの概略的側面詳細図である。
【発明を実施するための形態】
【０００９】
図１〜図４に関する本発明の有利な実施形態を説明する前に、本発明の様々な態様をより詳細に説明する。これらの態様は、任意の有用な組み合わせで組み合わせられてもよい本発明の更なる特徴、利点及び使用の可能性を開示する。説明される及び／又は図に示されるすべての特徴は、特許請求の範囲及び／又はそれらの背後にある参考文献中の特徴のグループ分けに関係なく、本発明の主題である。
【００１０】
少なくとも１つの停止要素は、第１のプラスチック材料、及び第１のプラスチック材料よりも軟質である少なくとも１種の第２のプラスチック材料による多成分射出成形によって製造されている。本開示に関して、停止要素は、第１のプラスチック材料及び第２のプラスチック材料のみを含む、二成分射出成形によって製造することができる。しかしながら、特に、停止要素が追加の機能を有している場合、３つ以上の異なるプラスチック材料を使用することが所望され得る。例えば、より軟質の第２のプラスチック材料は、熱可塑性エラストマー（ＴＰＥ）又は（液体）シリコーンゴム（ＬＳＲ）であってもよい。第１のプラスチック材料は、典型的には、周囲温度で剛性である熱可塑性材料、例えば、ポリプロピレン（ＰＰ）又はポリブチレンテレフタレート（ＰＢＴ）である。
【００１１】
除毛デバイスは、湿度に対して封止されるべきである構成部品である、例えば、駆動部及び／又はエネルギー源を密閉して封入する外側ハウジング及び内側ハウジングを含んでもよい。少なくとも１つの停止要素は、環境に対して除毛デバイスの少なくとも一部分を封止するシェル又はシェルアセンブリの一部であってもよい。換言すれば、停止要素は、外側ハウジング又は内側ハウジングの一部であってもよい。好ましくは、少なくとも１つの停止要素は、第２のプラスチック材料から製造された、例えば、封止用リップなどの少なくとも１つの封止部分を含む。本開示の独立した態様によれば、除毛デバイスの構成部品は、二成分射出成形又は多成分射出成形によって製造され、より軟質な材料は、封止機能を果たすことに加えて、停止要素としての機能を果たす。
【００１２】
封止機能に対して代替的に又はこれに加えて、少なくとも１つの停止要素は、第２のプラスチック材料から製造された少なくとも１つの軟質リブを含んでもよく、軟質リブは、軟質リブに当接している構成部品に付勢力を加える。軟質リブに当接している構成部品は、軸であってもよく、軟質リブは、軸と、軸にヒンジ結合した更なる部品との間の隙間を除去する。
【００１３】
少なくとも１つの停止要素は、より軟質の第２のプラスチック材料からなる別個の領域を含むことができる。代替として、より軟質の第２のプラスチック材料からなる領域は、第２のプラスチック材料の共通のピースを形成するように互いに接続されてもよい。好ましくは、少なくとも１つの停止面及び少なくとも１つの封止部分は、第２のプラスチック材料から製造されたウェブによって互いに接続される。
【００１４】
上記のように、除毛デバイスのヘッドは、デバイスのハンドルに枢動可能に支持されている。デバイスが、使用時に実質的に長手方向に移動するカッタ要素を含むシェーバである場合、ハンドルに対するヘッドの枢動は、例えば、カッタ要素の長手方向の移動の方向と実質的に平行である旋回軸を中心とする旋回運動であってもよい。代替的に又は更に、ハンドルに対するヘッドの枢動は、例えば、カッタ要素の長手方向の移動の方向に対して実質的に垂直である傾斜軸線を中心とする傾動であってもよい。更に、ヘッド又はカッタ要素は、例えば、ハンドルに対して突入するような移動である、ハンドルの主延在部に対して平行な方向に移動可能であってもよい。
【００１５】
実施形態によれば、ヘッドは、ハンドルの支持体及びヘッドにそれぞれ枢動可能にヒンジ結合されている少なくとも２つのレバーによってハンドルに枢動可能に支持されてもよい。レバーは、ハンドルに対するヘッドの傾動を可能にするいわゆる４本バー機構を形成することができる。例えば、レバーのうちの少なくとも１つは、実質的にＵ字形状の断面を有してもよい金属部品である。ハンドルの支持体の一部は、各レバーのための、第２のプラスチック材料から製造された少なくとも１つの停止面を有する停止要素であってもよい。更に、それぞれのレバーは、少なくとも１つの相手側停止要素を形成する部分を含むことができる。更なる態様によれば、ハンドルの支持体は、ハンドルの内側ハウジングを密封して封止する蓋であり、内側ハウジングは、駆動部及びエネルギー源を収容する。
【００１６】
付加的に又は代替的に、旋回軸線を中心に枢動可能にハンドル上にヘッドを支持することができる。ヘッドは、旋回軸線と位置合わせされた少なくとも１つの、例えば、２つの旋回軸受に支持されたフレームを含んでもよい。フレームの、旋回軸線を中心とした回転に関してハンドルに拘束されている構成部品との当接により、旋回軸線を中心としたハンドルに対するヘッドの枢動を制限することができる。例えば、旋回軸線を中心とした回転に関してハンドルに拘束されている構成部品は、例えば、板形状のヘッド部であり、ここで、第２のプラスチック材料から製造された少なくとも１つの停止面が板上に設けられている。ヘッド部又は板は、トランスミッションの駆動軸を受容する開口を有してもよい。また更に、少なくとも２つのレバーは、ヘッド部、又はヘッド部に拘束されている更なるベースプレートに枢動可能にヒンジ結合されてもよい。更なるベースプレートは、２つのアームを含んでもよく、それぞれのアームは、旋回軸受の１つを有する。
【００１７】
除毛デバイスは、乾式シェーバ、湿式シェーバ、又は脱毛器であってもよい。例えば、除毛デバイスは、複数のブレードを有する下部カッタ及びフォイル式（foil-type）上部カッタを有する少なくとも１つの除毛部を含む。トランスミッションは、上部カッタに対する並進運動において下部カッタを駆動するために下部カッタに連結されてもよい。付加的に又は代替的に、少なくとも１つの除毛部は、毛を切断又は除去するために、互いに対して移動する２つ以上の櫛部を含むことができる。
【００１８】
次に、図に示す例示的な実施形態に戻ると、ハンドル２と、複数の除毛部４、５を有するヘッド３と、を備える、除毛デバイス１が図１に図示されている。２つの除毛部４はそれぞれ、フォイル式上部カッタと、使用時、毛をせん断するために、フォイル式上部カッタに対して軸方向に移動する複数のブレードを有する下部カッタ（図示しない）と、を含む。除毛部５は、毛を切断するために、互いに対して移動する２つの櫛部を含む。
【００１９】
図示された例示的な実施形態において、ハンドル２は、除毛デバイス１の主軸線を画定する細長形状を有する。ハンドル２は、駆動部６、エネルギー源、例えば、再充電可能電池、制御部などのような構成部品を収容することができる。これは、図２において破線で概略的に示されている。
【００２０】
ヘッド３は、除毛部が使用者の皮膚の輪郭に追従することを可能にするハンドル２に対する相対移動をヘッド３が行うことができるように、ハンドル２に支持される。これは、ヘッド３及びハンドル２の構成部品が省略されている図２において、より詳細に図示されている。ハンドル２は、例えば、駆動部６及びエネルギー源を収容する内部空間を封止する蓋であってもよい支持体７を含む。支持体７には４つのレバーが枢動可能にヒンジ結合されており、２つのレバーは、互いに接続されて、例えばＵ字形状のレバー部８ａ、８ｂを形成していてもよい。レバーは、レバーによって、支持体７に対して図２の左右に傾斜、すなわち、枢動することができるベースプレート９に更に枢動可能にヒンジ結合されている。例えば、レバー部は、シート状の金属部品であってもよい。
【００２１】
ベースプレート９は、それぞれが旋回軸受１１を有する２本のアーム１０を含み、軸受１１は、例えば、ハンドル２の主軸線に実質的に垂直な旋回軸線Ｉ上に位置する。除毛部４、５は、旋回軸受１１によってアーム１０に枢動可能に支持されているフレーム１２内に装着されている。レバー部８ａ、８ｂと組み合わせて、旋回軸受１１により、支持体７に対してフレーム１２をジンバル様に取り付けることができ、これにより、旋回軸線Ｉを中心とした旋回運動及び旋回軸線Ｉに対して実質的に垂直な軸線を中心とした傾動が可能となる。
【００２２】
フレーム１２は、図１に示すようにヘッド３のケーシング内に受容されてもよく、又はヘッド３のケーシングの一部であってもよい。また、除毛部４、５は、ハンドル２の主延在部に対して実質的に平行な突入方向に、フレーム１２及び／又はヘッド３のケーシングに対して可動であってもよい。
【００２３】
レバーの枢動運動は、レバーが支持体７及び／又はベースプレート９に当接することによって制限され得る。図３に示す例では、それぞれのレバーは、除毛部４、５から離れる方向を向いた端部の近傍にノーズ１３を含む。図３に示すように、左レバー部８ａのノーズ１３は、支持体７に当接し、これにより、ベースプレート９の右への傾斜が制限されている。同様にして、右レバー部８ｂのノーズ１３は、ベースプレートが左へ傾斜した場合、支持体７に接触すると考えられる。このようにして、支持体７は、停止要素を画定し、ノーズ１３は、ハンドル２に対するヘッド３の枢動を共に制限する相手側停止要素を画定する。
【００２４】
支持体７は、例えば、ヘッド３の支持体に起因する機械的負荷を負担しなければならない除毛デバイス１の構成部品である。それ故に、支持体７は、剛性材料から主としてなる。図３に示す実施形態では、支持体７は、第１の剛性プラスチック材料及び第２のより軟質なプラスチック材料を使用する二成分射出成形により製造されている。少なくとも、ハンドル２に対するヘッド３の枢動を制限するためのレバーのそれぞれのノーズ１３に接する支持体７の領域、すなわち、支持体７の停止面１４は、第２のより軟質なプラスチック材料、例えば、熱可塑性エラストマーからなる。換言すれば、支持体７は、１つの構成部品であるが、支持体７は、少なくとも２つの異なる材料、すなわち、剛性の第１のプラスチック材料及びノーズ１３との当接のための停止面１４を形成するより軟質な第２のプラスチック材料からなる。これにより、ノーズ１３と支持体７との間に軟質停止部がもたらされ、不要な雑音の発生又は硬い停止の感覚が抑制される。
【００２５】
付加的に又は代替的に、第２のより軟質なプラスチック材料から製造された停止面は、レバー及び／又はフレーム１２に設けられてもよい。
【００２６】
同様に、図４は、フレーム１２とベースプレート９との間の、軟質停止部を含む、境界面を示す。より詳細には、フレーム１２には、図４に示すようにベースプレート９が旋回軸線Ｉを中心に旋回する場合、ベースプレート９又はベースプレート９に取り付けられた別体のプレート１５に接触する縁部又は突出部が設けられている。停止要素を画定するプレート１５と相手側停止要素を画定するフレーム１２とのこの当接により、ハンドル２に対するヘッド３の旋回軸線Ｉを中心とした枢動が制限される。プレート１５は、第１の剛性プラスチック材料及び第２のより軟質なプラスチック材料を使用する二成分射出成形により製造されている。少なくとも、ハンドル２に対するヘッド３の枢動を制限するためにフレーム１２のそれぞれの部分に接触するプレート１５の領域、すなわち、プレート１５の停止面１６は、第２のより軟質なプラスチック材料、例えば、熱可塑性エラストマーからなる。再び、これにより、ハンドル２に対するヘッド３の枢動を制限する軟質停止部がもたらされる。
【００２７】
ベースプレート９に拘束された別体の構成部品として、図４にプレート１５が図示されているが、停止面１６は、ベースプレート９に直接設けられてもよい。上記の実施形態の更なる代替又は追加として、第２のより軟質なプラスチック材料からなる停止面が、フレーム１２、例えば、ハンドル２に対するヘッド３の枢動を制限するための、ベースプレート９又はプレート１５に接触する縁部又は突出部に設けられてもよい。
【００２８】
第１の剛性プラスチック材料及び第２のより軟質なプラスチック材料を使用する二成分射出成形により製造された構成部品、すなわち、支持体７及び／又はプレート１５は、追加の機能及び／又は第２のより軟質なプラスチック材料からなる追加の領域を有してもよい。
【００２９】
例えば、支持体７は、例えば、駆動部６及び／又はエネルギー源を収容する内側ハウジングを密封して閉鎖する蓋であってもよい。この目的のために、支持体には、他の内側ハウジング構成要素に対する蓋（支持体７）の封止のための第２のより軟質なプラスチック材料からなる封止用リップ１８が設けられてもよい。図示されていない代替の実施形態では、封止用リップ１８は、停止面１６に直接接続されていない第２のより軟質なプラスチック材料の別の部分であってもよい。代替として、封止用リップは、射出成形時に、第２のより軟質なプラスチック材料を分配するために使用される、例えば、チャネル１７などの第２のより軟質なプラスチック材料のウェブによって、停止面１６と接続されてもよい。
【００３０】
更なる例として、ベースプレート９及び／又はプレート１５は、環境に対してヘッド３を密封して閉鎖する蓋であってもよい。この目的のために、ベースプレート９及び／又はプレート１５には、ヘッド３の他の部分に対する蓋の封止のための第２のより軟質なプラスチック材料からなる封止用リップ（図示しない）を設けてもよい。再び、停止面１４は、第２のより軟質なプラスチック材料の別の部分であってもよく、又は第２のより軟質なプラスチック材料のウェブにより封止用リップに接続されてもよい。
【００３１】
また更なる例として、第２のより軟質なプラスチック材料は、ベースプレート９及び／又はプレート１５に設けられた軟質リブ１９として形成された部分を有してもよい。軟質リブ１９は、ベースプレート９及び／又はプレート１５を支持体７に接続するレバー部８ａ、８ｂのうちの一方の枢動軸２０に作用するように配置されてもよい。より詳細には、軟質リブ１９は、枢動軸２０との当接により僅かに圧縮されるように配置されてもよく、これにより、軸２０、レバー部８ａ、８ｂと、ベースプレート９及び／又はプレート１５との間の隙間が除去される。再び、停止面１４は、第２のより軟質なプラスチック材料の別の部分であってもよく、又は第２のより軟質なプラスチック材料のウェブによって、軟質リブ１９に接続されてもよい。
【００３２】
このように、電動乾式シェーバは、可動式シェーバヘッドを備え、停止要素より軟質な材料から製造され、それ故に、シェーバヘッドが限界位置（extreme end position）に達すると、当接を和らげる、相手側停止要素を有する停止要素によって、旋回範囲は制限される。したがって、シェーバヘッドが限界位置（end position）に達しても、かかるシェーバヘッドの動きによって雑音はほとんど生じない。有利には、例えば、ＴＰＥなどの軟質材料から製造された相手側停止要素は、多成分射出成形プロセスにおいて製造される。軟性の相手側停止要素を備えた部分は、相手側停止要素と同一側又は同部分の反対側のいずれか一方に、第２の機能性軟質構成要素部分を備える。この第２の機能性軟質構成要素部分が設けられて、停止又は相手側停止要素とは異なる目的のために、すなわち、封止用リブ（lib）又はプレテンション突出リブ（pretension protrusion rib）を提供するために機能する。したがって、軟質材料相手側停止部は、多成分射出成形プロセスによってコスト効率よく提供されるだけでなく、材料は、同一部分において二重の機能を果たす。
【００３３】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味することが意図される。
【符号の説明】
【００３４】
１  除毛デバイス
２  ハンドル
３  ヘッド
４  除毛部
５  除毛部
６  駆動部
７  支持体
８ａ、ｂ  レバー部
９  ベースプレート
１０  アーム
１１  旋回軸受
１２  フレーム
１３  ノーズ
１４  停止面
１５  プレート
１６  停止面
１７  チャネル
１８  封止用リップ
１９  軟質リブ
２０  枢動軸
Ｉ  旋回軸線
【図１】
2019171050.tif 000003
【図２】
2019171050.tif 000004
【図３】
2019171050.tif 000005
【図４】
2019171050.tif 000006
【外国語明細書】
2019171050000001.pdf